(57)【要約】      （修正有）【課題】簡単な構造で取り付けも容易に行えるとともに、断熱効果も高く、経済的な断熱用カーテンを提供する。【解決手段】ガラス戸や窓に付設されたカーテンの断熱用カーテン１３であって、断熱用カーテン１３は、合成樹脂シート若しくはフィルムで形成されており、ガラス戸２または窓の室内側に設けられるカーテンとガラス戸または窓との間に設置され、上端部がカーテンレール６，７に取り付けられる既存のカーテン取り付け部１４に取り付けられ、下端部が床面１９に折れ曲がって当接することにより、断熱用カーテン１３とガラス戸２または窓との間の空間と室内９とを床面１９に折れ曲がって当接した部分で断絶するとともに、折れ曲がって床面１９に当接する部分に長さ調節用のラインを設けた。【選択図】図１
0003149447.tif 000002
【実用新案登録請求の範囲】
【請求項１】
ガラス戸や窓に付設されたカーテンの断熱用カーテンであって、断熱用カーテンは、合成樹脂シート若しくはフィルムで形成されており、ガラス戸または窓の室内側に設けられるカーテンとガラス戸または窓との間に設置され、上端部がカーテンレールに取り付けられる既存のカーテン取り付け部に取り付けられ、下端部が床面に折れ曲がって当接することにより、当該断熱用カーテンとガラス戸または窓との間の空間と室内とを前記床面に折れ曲がって当接した部分で断絶するとともに、折れ曲がって床面に当接する部分に長さ調節用のラインを設けたことを特徴とする断熱用カーテン。
【請求項２】
断熱用カーテンが遮光性もしくは光反射面を有する合成樹脂シート若しくはフィルムで形成されていることを特徴とする請求項１に記載の断熱用カーテン。
【請求項３】
断熱用カーテンを形成する合成樹脂シート若しくはフィルムが吸水性を有していることを特徴とする請求項１または請求項２に記載の断熱用カーテン。
【請求項４】
断熱用カーテンを形成する合成樹脂シート若しくはフィルムが抗菌性を有していることを特徴とする請求項１乃至請求項３のいずれか１項に記載の断熱用カーテン。
【考案の詳細な説明】
【技術分野】
【０００１】
本考案は、既存のカーテン若しくはカーテンレールに取り付けることも可能な断熱用カーテンに関するものである。
【背景技術】
【０００２】
一般に、室内に設けられるカーテンは、遮光や断熱を主たる目的として、窓やガラス戸に付設される。
この種のカーテンでは、窓やガラス戸の上部サッシュ部分にレール支持アームを室内側に突出させて取り付け、このレール支持アームに支持させた１本または２本のカーテンテールに摺動するランナーを介して布帛製のカーテンの上部を取り付けた構成になっている。
【０００３】
こうした従来の室内用のカーテンは、カーテンと窓やガラス戸との間の空間部分が、カーテンの上部及び下部で室内と連通しており、外気温の影響をまともに受ける窓やガラス戸からの冷・熱の温度と室内の温度との差により、対流が発生する。
このため、冬季、室内を暖房した熱が冷たい窓やガラス戸を通して外部に放散され、暖房効率を低下させたり、窓やガラス戸に結露を発生させたりしてしまうという問題があった。
また、夏季の冷房時には冷気が対流により熱い窓やガラス戸で暖められてしまうことから冷房効率を低下させて不経済になってしまうという問題もある。
【０００４】
、
そこで、こうした問題に対処するために、カーテンレール組立体の上面部分にレールカバーを設けて室内温度と外気温度との差による対流を防止するとともに、カーテンには断熱用のカーテンシートを添わせて設けることにより、既存のカーテンの断熱効果を向上させるようにしたものが提案されている（特許文献１）。
【先行技術文献】
【特許文献】
【０００５】
登録実用新案第３１４２３７８号公報
【考案の概要】
【考案が解決しようとする課題】
【０００６】
しかし、上記特許文献１に記載されたものでは、断熱用のカーテンシートの他に、対流防止用のレールカバーを必要とするために、部品点数が多くなり高価になるだけでなく、  レールカバーを高所に取り付けなくてはならず、面倒で手間がかかってしまうという問題があった。
本考案は、上記問題点に鑑みて提案されたもので、簡単な構造で取り付けも容易に行えるとともに、断熱効果も高く、経済的な断熱用カーテンを提供できるようにすることを目的とするものである。
【課題を解決するための手段】
【０００７】
上記目的を達成するために本考案の断熱用カーテン補助は、ガラス戸や窓に付設されたカーテンの断熱用カーテンであって、断熱用カーテンは、合成樹脂シート若しくはフィルムで形成されており、ガラス戸または窓の室内側に設けられるカーテンとガラス戸または窓との間に設置され、上端部がカーテンレールに取り付けられる既存のカーテン取り付け部に取り付けられ、下端部が床面に折れ曲がって当接することにより、当該断熱用カーテンとガラス戸または窓との間の空間と室内とを前記床面に折れ曲がって当接した部分で断絶するとともに、折れ曲がって床面に当接する部分に長さ調節用のラインを設けたことを特徴とするものである。
【考案の効果】
【０００８】
本考案にかかる断熱用カーテンは、合成樹脂シート若しくはフィルムで形成し、ガラス戸または窓の室内側に設けられるカーテンとガラス戸または窓との間に設置され、上端部がカーテンレールに取り付けられる既存のカーテン取り付け部に取り付けられ、下端部が床面に折れ曲がって当接することにより、当該断熱用カーテンとガラス戸または窓との間の空間と室内とを前記床面に折れ曲がって当接した部分で断絶して空気の対流を阻止するようにしてある。
【０００９】
これにより、室内側は従来どおりのカーテンで断熱されるとともに、この床面に当接した部分で空気の対流が阻止されるので、室外への放散が極めて少なく、室内の冷房・暖房が無駄なく効率よく行え、経済的なものにすることができる利点がある。
【００１０】
また、断熱用カーテンは、の下端部分が折れ曲がって床面に当接する状態にカーテン取り付け部に取り付けるだけの操作で設置することができるので、女性でも簡単に手早く行うことができる利点もある。
【００１１】
さらに、断熱用カーテンは、その下端部分が折れ曲がって床面に当接する状態にカーテン取り付け部に取り付けるにあたり、下部には長さ調節用のラインを設けてあるので当該ラインを基準に切断するだけで長さが揃った綺麗で品質の高いものにすることができる利点もある。
【図面の簡単な説明】
【００１２】
【図１】は本考案にかかる断熱用カーテンを使用した状態の斜視図である。
【図２】は本考案にかかる断熱用カーテンの正面図である。
【図３】は本考案にかかる断熱用カーテンの使用手順を示す正面図である。
【図４】は本考案にかかる断熱用カーテンの使用手順を示す正面図である。
【図５】は本考案にかかる断熱用カーテンの使用手順を示す正面図である。
【図６】は本考案にかかる断熱用カーテンの別の使用手例を示す正面図である。
【考案を実施するための形態】
【００１３】
本考案の断熱用カーテンは、遮光性もしくは光反射面を有する合成樹脂シート若しくはフィルムで形成することや、断熱用カーテンを形成する合成樹脂シート若しくはフィルムが吸水性を有していること、さらには、断熱用カーテンを形成する合成樹脂シート若しくはフィルムが抗菌性を有していることが好ましい。
【実施例】
【００１４】
以下、本考案にかかる断熱用カーテンの好ましい実施の形態を図面に基づいて説明する。
図１は本考案にかかる断熱用カーテンを使用したガラス戸を室内側から見た斜視図であって、図中符号１はガラス戸２の室内９側に設置されたカーテン装置を全体的に示す。
【００１５】
このカーテン装置１は、ガラス戸２の上框２ａの上部の壁面４からレール保持用ブラケット５を突出させ、このレール保持用ブラケット５に２本のカーテンレール６・７を平行に支持させ、２本のカーテンレール６・７の内、ガラス戸２側（外側）のカーテンレール６のランナー（図示せず）にレースカーテン８を、フック（図示せず）を介して取り付け、室内９側（内側）のカーテンレール７のランナー１０に布カーテン１１を、フック１２を介して取り付けるとともに、後述するように布カーテン１１を取り付けるフック１２を利用して断熱用カーテン１３を取り付けて構成されている。
上記ランナー１０とフック１２とで本考案でいうカーテン取り付け部１４が形成されている。
【００１６】
上記断熱用カーテン１３は、図２に示すように形成されている。
即ち、通気性及び通気性が無く、遮光性を有する白色のポリエチレン+ＥＶＡ樹脂複合シートを生地素材とし、その長さ（カーテンの丈）Ｌ １を既存の布カーテンの長さＬ２より十分に長くしてあり、上辺部分１５を折り返して細幅の２重にし、この細巾部分にフック挿通孔１６を複数等間隔に穿孔するとともに、生地素材の下寄り部分には長さ（当該カーテンの丈）調節用のライン１７を複数本設けて形成されている。
本例では上記長さ調節用のライン１７を加熱ローラ等で軟化させて形成するようにしてあるが、プリントやミシン目で形成することもできる。
因みに、断熱用カーテン１３の長さＬ２は、戸建て用やマンション用でサイズが異なるが、そのサイズにあわせて、例えば図２中一点鎖線で示す使用される布カーテン１１の長さＬ２より長く形成しされている。
【００１７】
上記のように構成された断熱用カーテン１３の取り付け手順を次に説明する。
先ず、室内側の布カーテン１１をカーテンレール７のランナー１０に掛止しているフック１２を一旦外し、この布カーテン１１を掛止していた部分のフック１２を、断熱用カーテン１３の上端部分に形成されたフック挿通孔１６に挿通して掛止（図３参照）させた後、図４に示すように当該フック１２部分を前記布カーテン１１の掛止部分１８に挿通して断熱用カーテン１３と布カーテン１１とを合わせた状態にする。
次に、断熱用カーテン１３が外側に位置するようにして図４及び図５に示すように、フック１２をカーテンレール７のランナー１０に係止させる。
すると、断熱用カーテン１３は、布カーテン１１の外側でレースカーテン８との間に位置し、布カーテン１１と共に開閉可能になる。
【００１８】
そして、布カーテン１１の外側にとりつけられた断熱用カーテン１３は、その長さＬ１が布カーテン１１の長さＬ２より長くなっていることから、下端部分が図１に示すように布カーテン１１の下端部分から室内９側に折れ曲がって出て床面１９に当接している
室内９側に折れ曲がって出た部分を、その床面１９に当接している位置より先端側の調節用のライン１７を基準に切断すると室内９側に出た部分を見苦しくなく綺麗にそろえることができるのである。
このように、本考案の断熱用カーテン１３では、下端部分が折れ曲がって床面１９に当接する状態にカーテン取り付け部１４に取り付けるだけの操作で設置することができるので、女性でも簡単に手早く行うことができる。
【００１９】
上記のようにして断熱用カーテン１３が、布カーテン１１の外側にとりつけられると、断熱カーン１３の外側に位置するレースカーテン８乃至はガラス戸２との間の空間部分２１と室内９とが断熱用カーテン１３の床面１９に当接している部分で断絶されるので、冷房や暖房で室内９の温度と室外の温度との間に温度差が生じたときに生じる対流を、前記断熱用カーテン１３の床面１９に当接している部分で阻止する。
したがって、室内９側は従来どおりの布カーテン１１が位置し、外観や室内９の雰囲気を阻害することなく、床面１９に当接した断熱用カーテン１３の部分で空気の対流が阻止されるので、室外への放散が極めて少なく、室内９の冷房・暖房が無駄なく効率よく行え、経済的、且つエコロジーな商品にすることができる。
【００２０】
尚、上記実施の形態では、断熱用カーテン１３を、遮光性を有する白色のポリエチレン+ＥＶＡ樹脂複合シートで形成するようにしてあるが、こうしたものの表面に光触媒や、銀イオン素材を塗布や原料の樹脂に混練することにより、防汚、防臭、殺菌効果を図ることができる。
こうした場合、特にペット等の消臭に効果を奏することができる。
加えて、上記断熱用カーテン１３のポリエチレン+ＥＶＡ樹脂複合シートを、シルバーやグレーや褐色あるいは暗色のシートにすることにより、遮光性を高く形成することもできるし、断熱用カーテンのポリエチレン+ＥＶＡ樹脂複合シートを不織布等で形成して吸水性を持たせることにより、結露を軽減することもできる。
また、遮光性を形成するためには、アルミを蒸着することにより、光を反射させるようにしてもよい。
【００２１】
さらに、上記実施の形態では本考案にかかる断熱用カーテン１３を、布カーテンを掛止していた部分のフックを利用して、布カーテン１１に合わせた状態でとりつけるようにしてあるが、これを例えばレースカーテン８のカーテンレール６のランナーに掛止しているフックを利用して取り付け、断熱用カーテン１３をレースカーテン８と合わせた状態にすることもできる。
また、本考案の断熱用カーテン１３は、上記実施例のレースカーテン８の代わりとしても使用することができるし、図示は省略したが、１本のカーテンレールに単独で使用することもできる。
加えて、上記実施の形態では本考案にかかる断熱用カーテン１３をガラス戸２部分に設けるようにしてあるが、本考案の断熱用カーテン１３は、カーテンが取り付けられる窓にも取り付けることができるのはもちろんのことである。
【符号の説明】
【００２２】
１・・・カーテン装置
２・・・ガラス戸
４・・・壁面５・・・レール保持用ブラケット
６・７・・・カーテン用レール
８・・・レースカーテン
９・・・室内
１０・・・ランナー
１１・・・布カーテン
１２・・・フック
１３・・・断熱用カーテン
１４・・・カーテン取り付け部
１６・・・フック挿通孔
１７・・・長さ調節用のライン
１９・・・床面
【図１】
0003149447.tif 000003
【図２】
0003149447.tif 000004
【図３】
0003149447.tif 000005
【図４】
0003149447.tif 000006
【図５】
0003149447.tif 000007
【図６】
0003149447.tif 000008